(57)【要約】【課題】本発明は、容易に加工することができるとともに確実に眼鏡レンズを保持することが可能な眼鏡レンズの保持部材及びそれを備えた眼鏡を提供することを目的とするものである。【解決手段】ブリッジ３は、両端部３０ａ及び３０ｂから中央部に向かって折り返すように折り返し部３１ａ及び３１ｂが形成された接続部３０と、折り返し部３１ａ及び３１ｂに突設されているとともに眼鏡レンズ２に設けられた係合穴２０ａ及び２０ｂに前側から挿着される係合部３２ａ及び３２ｂとを備え、係合部は、逆Ｕ字状に形成されて一端部分３３ａ及び３３ｂが折り返し部に接続されているとともに他端部分３４ａ及び３４ｂが折り返し部と間隔を空けて対向配置されており、係合部の一端部分及び他端部分の外側が係合穴の内面に圧接して眼鏡レンズ２を保持する。【選択図】図２
2015059943.tif 000002
【特許請求の範囲】
【請求項１】
少なくとも一方の端部から中央部に向かって折り返すように折り返し部が形成された接続部と、前記折り返し部に突設されているとともに眼鏡レンズに設けられた係合穴に前側から挿着される係合部とを備え、前記係合部は、逆Ｕ字状に形成されて一端部分が前記折り返し部に接続されているとともに他端部分が前記折り返し部と間隔を空けて対向配置されており、前記係合部の前記一端部分及び前記他端部分の外側が前記係合穴の内面に圧接して眼鏡レンズを保持する眼鏡レンズの保持部材。
【請求項２】
形状記憶合金材料又は超弾性合金材料からなる薄板を切断加工して形成されている請求項１に記載の眼鏡レンズの保持部材。
【請求項３】
前記係合部は、前記一端部分及び前記他端部分の外側に前記係合穴の内面に係止する係止手段を有している請求項１又は２に記載の眼鏡レンズの保持部材。
【請求項４】
前記係止手段は、外側を鋸歯状に形成している請求項３に記載の眼鏡レンズの保持部材。
【請求項５】
請求項１から４のいずれかに記載の保持部材と、前記保持部材により保持された眼鏡レンズとを備えている眼鏡。
【請求項６】
前記眼鏡レンズは、前記係合穴が設けられた係合部材が固着されている請求項５に記載の眼鏡。
【発明の詳細な説明】
【技術分野】
【０００１】
本発明は、眼鏡レンズの保持部材及びそれを備えた眼鏡に関し、特に縁無しタイプの眼鏡に好適な眼鏡レンズの保持部材に関する。
【背景技術】
【０００２】
従来より、眼鏡レンズの周囲をリム等の枠体で保持することなく、ブリッジ及びヨロイにより保持する縁無しタイプの眼鏡が実用化されている。例えば、特許文献１では、ブリッジ及びヨロイを形状記憶合金製の部材で構成し、レンズ部分に形成した穴に部材を差し込んで保持するようにした眼鏡が記載されている。また、特許文献２では、眼鏡レンズに形成した不貫通孔に複数の線材を貫入させ、それぞれの線材を不貫通孔の側壁に押圧させて保持するようにした眼鏡が記載されている。また、特許文献３では、眼鏡レンズの外周部近傍に長孔を形成し、ヨロイ及びブリッジに形成された弾性を有する二股脚部を長孔に挿入して保持するようにした眼鏡が記載されている。
【先行技術文献】
【特許文献】
【０００３】
【特許文献１】特開平７−２８１１３２号公報
【特許文献２】特開２００４−５４０７６号公報
【特許文献３】特開２００８−１６４６４６号公報
【発明の概要】
【発明が解決しようとする課題】
【０００４】
特許文献１から３では、ブリッジ及びヨロイに保持部を形成して、保持部を眼鏡レンズに形成した穴に挿入しているが、ブリッジ及びヨロイが円形断面の線材の場合、保持部を挿入した状態で眼鏡レンズが揺動しやすく外れるおそれがある。特許文献３に記載されたように、断面矩形状の保持部を形成する場合には、保持部の加工が難しくなる。
【０００５】
また、こうした線材を用いた場合、特許文献１及び３に記載されているように、保持部の先端が眼鏡レンズから突出していると、突出部が不用意に引っ掛かるおそれがあり、外観デザイン上も好ましいものではない。また、眼鏡レンズの表面や縁部に部材を係合させて保持させているので、眼鏡レンズの形状に合わせて部材の形状を形成しなければガタツキが生じるおそれがある。特許文献２では、線材が突出しないように構成されているが、眼鏡レンズの端面に不貫通孔を形成しているため、不貫通孔を形成したレンズ部分の強度が弱くなり、破損するおそれがある。
【０００６】
そこで、本発明は、容易に加工することができるとともに確実に眼鏡レンズを保持することが可能な眼鏡レンズの保持部材及びそれを備えた眼鏡を提供することを目的とするものである。
【課題を解決するための手段】
【０００７】
本発明に係る眼鏡レンズの保持部材は、少なくとも一方の端部から中央部に向かって折り返すように折り返し部が形成された接続部と、前記折り返し部に突設されているとともに眼鏡レンズに設けられた係合穴に前側から挿着される係合部とを備え、前記係合部は、逆Ｕ字状に形成されて一端部分が前記折り返し部に接続されているとともに他端部分が前記折り返し部と間隔を空けて対向配置されており、前記係合部の前記一端部分及び前記他端部分の外側が前記係合穴の内面に圧接して眼鏡レンズを保持する。さらに、形状記憶合金材料又は超弾性合金材料からなる薄板を切断加工して形成されている。さらに、前記係合部は、前記一端部分及び前記他端部分の外側に前記係合穴の内面に係止する係止手段を有している。
【０００８】
本発明に係る眼鏡は、上記の保持部材と、前記保持部材により保持された眼鏡レンズとを備えている。さらに、前記眼鏡レンズは、前記係合穴が設けられた係合部材が固着されている。
【発明の効果】
【０００９】
本発明は、上記のような構成を有することで、容易に加工することができるとともに確実に眼鏡レンズを保持することが可能となる。
【図面の簡単な説明】
【００１０】
【図１】本発明に係る眼鏡レンズの保持構造を備えた眼鏡に関する平面図及び正面図である。
【図２】ブリッジ部分に関する一部拡大平面図及びヨロイ部分に関する一部拡大平面図である。
【図３】別の実施形態のブリッジ部分に関する一部拡大平面図及びヨロイ部分に関する一部拡大平面図である。
【図４】係合部材に関する外観斜視図である。
【発明を実施するための形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る眼鏡レンズの保持構造を備えた眼鏡に関する平面図（図１（ａ））及び正面図（図１（ｂ））である。眼鏡１は、左右一対の眼鏡レンズ２と、眼鏡レンズ２の間に配置されて眼鏡レンズ２を保持するブリッジ３と、ブリッジ３に取り付けられた左右一対の鼻パッド４と、眼鏡レンズ２のブリッジ３とは反対側に配置されて眼鏡レンズ２を保持する左右一対のヨロイ５と、ヨロイ５にそれぞれ取り付けられるテンプル６と、テンプル６に挿着されたモダン７とを備えている。なお、本明細書では、眼鏡１の正面側を前側とし、背面側を後側とする。
【００１３】
眼鏡レンズ２を保持する保持部材であるブリッジ３及びヨロイ５は、後述するように、それぞれ眼鏡レンズ２に形成された係合穴に係合部を挿着して取り付けられている。ブリッジ３及びヨロイ５は、形状記憶合金、超弾性合金等の金属材料からなり、眼鏡レンズの保持部材としては、例えば、こうした特性を示すニッケルチタン合金材料が好ましい。この例では、金属製薄板をレーザ加工等により切断加工したものを用いており、ブリッジ３及びヨロイ５を簡単に精度よく成形加工することができる。ブリッジ３及びヨロイ５を薄板により成形加工することで、眼鏡を前側から見た場合、ブリッジ３及びヨロイ５が同じ厚さで左右方向に直線状にデザインされるようになり、眼鏡のデザイン性を高めることができる。
【００１４】
図２は、ブリッジ部分に関する一部拡大平面図（図２（ａ））及びヨロイ部分に関する一部拡大平面図（図２（ｂ））である。ヨロイ部分については、左右のヨロイ５は、左右対称に配置された同一形状に形成されているため、右側のヨロイ５のみ図示し、左側のヨロイ５については省略した。
【００１５】
ブリッジ３は、前側に膨らむように湾曲形成された接続部３０の両端部３０ａ及び３０ｂにおいて、後側に折り返し部３１ａ及び３１ｂが形成されている。折り返し部３１ａ及び３１ｂの後側には、それぞれ逆Ｕ字状の係合部３２ａ及び３２ｂが突設されている。
【００１６】
折り返し部３１ａ及び３１ｂは、それぞれ接続部３０の両端部３０ａ及び３０ｂから中央部に向かって折り返すように形成されており、折り返した部分の幅は、接続部３０とほぼ同じ幅に形成されている。そして、両端部３０ａ及び３０ｂの幅は、接続部３０並びに折り返し部３１ａ及び３１ｂよりも幅広に形成されている。折り返し部３１ａ及び３１ｂの後側の側端は、係合部３２ａ及び３２ｂを眼鏡レンズ２の係合穴２０ａ及び２０ｂに挿着した場合に、それぞれ左右の眼鏡レンズ２の前側に当接するように設定されている。
【００１７】
係合部３２ａ及び３２ｂは、逆Ｕ字状に形成されており、接続部３０の端部側に位置する一端部分３３ａ及び３３ｂがそれぞれ折り返し部３１ａ及び３１ｂの根元部分に接続されて一体形成されている。一端部分３３ａ及び３３ｂは、外側の側端が鋸歯状にギザギザに形成されており、各尖端が折り返し部３１ａ及び３１ｂに向かって傾斜するように形成されている。そのため、係合部３２ａ及び３２ｂを係合穴２０ａ及び２０ｂに挿入する場合には一端部分３３ａ及び３３ｂに形成された鋸歯状の尖端が引っ掛かることなくスムーズに挿入することができるが、係合部３２ａ及び３２ｂを係合穴２０ａ及び２０ｂから引き抜く場合には、鋸歯状の尖端が引っ掛かりやすくなり、引き抜きにくくなるように設定されている。
【００１８】
接続部３０の中央側に位置する係合部３２ａ及び３２ｂの他端部分３４ａ及び３４ｂは、折り返し部３１ａ及び３１ｂの先端部分との間に間隔を空けて対向配置されており、外側の角部が鋭角状に形成されている。そのため、係合部３２ａ及び３２ｂを係合穴２０ａ及び２０ｂに挿入する場合には他端部分３４ａ及び３４ｂに形成された外側の角部が引っ掛かることなくスムーズに挿入することができるが、係合部３２ａ及び３２ｂを係合穴２０ａ及び２０ｂから引き抜く場合には、外側の角部が引っ掛かりやすくなり、引き抜きにくくなるように設定されている。係合部３２ａ及び３２ｂは、一端部分３３ａ及び３３ｂから後側に延設されて折り返すように形成された湾曲部分までが次第に幅が狭くなるようにテーパ状に設定されて湾曲部分で最も幅が狭くなり、湾曲部分から他端部分３４ａ及び３４ｂにかけて次第に幅が広くなるように設定されている。そして、係合部３２ａ及び３２ｂの一端部分３３ａ及び３３ｂ並びに他端部分３４ａ及び３４ｂの内側の間の間隔は、湾曲部分から次第に拡がるように形成されている。
【００１９】
眼鏡レンズ２の係合穴２０ａ及び２０ｂは、それぞれ眼鏡レンズ２の前側表面に対してほぼ垂直方向に貫通しており、左右方向に細長く矩形状に形成されている。係合穴２０ａ及び２０ｂの上下方向の幅は、ほぼ均一でブリッジ３の厚さよりもわずかに広くなるように設定されている。係合穴２０ａ及び２０ｂの左右方向の幅は、係合部３２ａ及び３２ｂにおける一端部分３３ａ及び３３ｂの外側から他端部分３４ａ及び３４ｂの外側までの最も幅広の部分よりも狭くなるように設定されている。また、左右方向の幅は、眼鏡レンズ２の前側から後側に行くに従い次第に拡大するように形成されている。
【００２０】
眼鏡レンズ２の度数は、後側表面の曲率を変化させることで調整されるようになる。そのため、係合穴２０ａ及び２０ｂを眼鏡レンズ２の前側表面に対してほぼ垂直方向に形成することで、異なる度数の場合でも前側表面に対して所定の方向に係合穴を形成することができる。そして、折り返し部３１ａ及び３１ｂを眼鏡レンズ２の前側に当接させてブリッジ３を取り付けるため、眼鏡レンズ２の度数の影響を受けることなく取り付けることができる。また、係合部３２ａ及び３２ｂは、係合穴２０ａ及び２０ｂの内面に係合し裏側に係合することがないので、度数の変化に伴う眼鏡レンズ２の裏側表面の曲率の変更に伴って形状を変更する必要がなく、眼鏡レンズ２の度数が変更した場合でも同じ形状のブリッジ３を使用することが可能となる。
【００２１】
ブリッジ３を一対の眼鏡レンズ２にそれぞれ取り付けて接続する場合には、係合部３２ａ及び３２ｂをそれぞれ眼鏡レンズ２の係合穴２０ａ及び２０ｂの前側から挿着して取り付ける。係合部３２ａ及び３２ｂをその後側に突出した先端部となる湾曲部分から係合穴２０ａ及び２０ｂに挿入していき、湾曲部分が係合穴２０ａ及び２０ｂを突き抜けて眼鏡レンズ２の前側に折り返し部３１ａ及び３１ｂが当接した状態に設定することで、挿着される。
【００２２】
ブリッジ３が形状記憶合金材料から形成されている場合には、係合部３２ａ及び３２ｂを係合穴２０ａ及び２０ｂに挿入しやすくするために、他端部分３４ａ及び３４ｂが一端部分３３ａ及び３３ｂに近接するように湾曲部分をさらに湾曲変形させておき、係合部３２ａ及び３２ｂを挿着した後に、元の形状に戻すことで、係合部３２ａ及び３２ｂの一端部分３３ａ及び３３ｂ並びに他端部分３４ａ及び３４ｂが係合穴２０ａ及び２０ｂの内面に圧接して係合状態となって固定される。
【００２３】
また、ブリッジ３が超弾性合金材料から形成されている場合には、係合部３２ａ及び３２ｂの湾曲部分をそれぞれ眼鏡レンズ２の係合穴２０ａ及び２０ｂに挿入していく。その際に、係合穴２０ａ及び２０ｂの左右方向の幅は、係合部３２ａ及び３２ｂにおける一端部分３３ａ及び３３ｂの外側から他端部分３４ａ及び３４ｂの外側までの最も幅広の部分よりも狭くなるように設定されているので、係合部３２ａ及び３２ｂは、他端部分３４ａ及び３４ｂが一端部分３３ａ及び３３ｂに近接するように湾曲部分がさらに湾曲変形しながら挿入されていくようになる。そして、湾曲部分が係合穴２０ａ及び２０ｂを突き抜けて眼鏡レンズ２の前側に折り返し部３１ａ及び３１ｂが当接した状態に設定すると、係合穴２０ａ及び２０ｂの左右方向の幅は、眼鏡レンズ２の前側から後側に行くに従い次第に拡大するように形成されているので、係合部３２ａ及び３２ｂの他端部分３４ａ及び３４ｂと一端部分３３ａ及び３３ｂとの間が挿入開始時に比べて若干拡がるように湾曲変形する。そのため、係合部３２ａ及び３２ｂを挿入方向とは反対側に引き抜く力に対しては、係合部３２ａ及び３２ｂの他端部分３４ａ及び３４ｂ並びに一端部分３３ａ及び３３ｂが係合穴２０ａ及び２０ｂの内面に圧接して係合状態となって固定される。
【００２４】
係合部３２ａ及び３２ｂが係合穴２０ａ及び２０ｂの内面に圧接した状態では、一端部分３３ａ及び３３ｂの外側に形成された鋸歯状の尖端並びに他端部分３４ａ及び３４ｂが係合穴２０ａ及び２０ｂの内面に圧接して係合部３２ａ及び３２ｂが引き抜かれることなくしっかりと固定されるようになる。
【００２５】
このように、係合部の一端部分及び他端部分の外側が係合穴の内面に係止して眼鏡レンズが保持されるため、係合部と係合穴との間の２点支持により眼鏡レンズが係合部分でガタツクことなく保持される。また、逆Ｕ字状に形成された係合部を、係合部の厚さよりもわずかに広い幅の係合穴に挿着しているので、係合穴の内部で係合部が回動することはなく、眼鏡レンズをしっかりと保持することができる。
【００２６】
また、係合部３２ａ及び３２ｂの他端部分３４ａ及び３４ｂと係合穴２０ａ及び２０ｂとの間には、隙間が形成されているので、この隙間に工具を挿し込み、他端部分３４ａ及び３４ｂを一端部分３３ａ及び３３ｂに近接するように変形させることで、係合部３２ａ及び３２ｂの係合状態を解除して眼鏡レンズ２からブリッジ３を取り外すこともできる。
【００２７】
そして、係合部３２ａ及び３２ｂが眼鏡レンズ２の係合穴２０ａ及び２０ｂに固定された状態では、眼鏡レンズ２を突き抜けた係合部３２ａ及び３２ｂの湾曲部分は丸みを帯びた形状に形成されているため、不用意に接触しても引っ掛かることはない。また、接続部３０の両端部３０ａ及び３０ｂについても丸みを帯びた形状に形成されているので、不用意に接触しても引っ掛かることはない。折り返し部３１ａ及び３１ｂの先端部は、接続部３０と眼鏡レンズ２との間に配置されるため、外側から不用意に接触することが防止される。
【００２８】
ヨロイ５は、後側に延設されてテンプル６に接続する細幅に形成された接続部５０を備えている。接続部５０は、中央部分が湾曲形成されており、前側の端部５０ａには、後側に折り返し部５１が延設されており、後側に延設された端部５０ｂは、幅広に形成されてテンプル６と接続する取付穴が５０ｃが形成されている。接続部５０の両端部以外の中央部分の幅はほぼ均一に形成されており、ブリッジ３の接続部３０の幅よりもわずかに狭くなるように設定されている。折り返し部５１の後側には、それぞれ逆Ｕ字状の係合部５２が突設されている。
【００２９】
折り返し部５１は、接続部５０の端部５０ａから中央部分に向かって折り返すように形成されており、折り返した部分の幅は、接続部５０とほぼ同じ幅に形成されている。そして、端部５０ａの幅は、接続部５０及び折り返し部５１よりも幅広に形成されている。折り返し部５１の後側の側端は、係合部５２を眼鏡レンズ２の係合穴２１に挿着した場合に、眼鏡レンズ２の前側に当接するように設定されている。
【００３０】
係合部５２は、逆Ｕ字状に形成されており、接続部５０の端部側に位置する一端部分５３が折り返し部５１の根元部分に接続されて一体形成されている。一端部分５３は、外側の側端が鋸歯状にギザギザに形成されており、各尖端が折り返し部５１に向かって傾斜するように形成されている。そのため、係合部５２を係合穴２１に挿入する場合には一端部分５３に形成された鋸歯状の尖端が引っ掛かることなくスムーズに挿入することができるが、係合部５２を係合穴２１から引き抜く場合には、鋸歯状の尖端が引っ掛かりやすくなり、引き抜きにくくなるように設定されている。
【００３１】
接続部５０の中央側に位置する係合部５２の他端部分５４は、折り返し部５１の先端部分との間に間隔を空けて対向配置されており、外側の角部が鋭角状に形成されている。そのため、係合部５２を係合穴２１に挿入する場合には他端部分５４に形成された外側の角部が引っ掛かることなくスムーズに挿入することができるが、係合部５２を係合穴２１から引き抜く場合には、外側の角部が引っ掛かりやすくなり、引き抜きにくくなるように設定されている。係合部５２は、一端部分５３から後側に延設されて折り返すように形成された湾曲部分までが次第に幅が狭くなるようにテーパ状に設定されて湾曲部分で最も幅が狭くなり、湾曲部分から他端部分５４にかけて次第に幅が広くなるように設定されている。そして、係合部５２の一端部分５３及び他端部分５４の内側の間の間隔は、湾曲部分から次第に拡がるように形成されている。
【００３２】
眼鏡レンズ２の係合穴２１は、係合穴２０ａ及び２０ｂと同様に、それぞれ眼鏡レンズ２の前側表面に対してほぼ垂直方向に貫通しており、左右方向に細長く矩形状に形成されている。係合穴２１の上下方向の幅は、ほぼ均一でヨロイ５の厚さよりもわずかに広くなるように設定されている。係合穴２１の左右方向の幅は、係合部５２における一端部分５３の外側から他端部分５４の外側までの最も幅広の部分よりも狭くなるように設定されている。また、左右方向の幅は、眼鏡レンズ２の前側から後側に行くに従い次第に拡大するように形成されている。
【００３３】
ヨロイ５を眼鏡レンズ２にそれぞれ取り付けて接続する場合には、ブリッジ３と同様に、係合部５２を眼鏡レンズ２の係合穴２１の前側から挿着して取り付ける。係合部５２をその後側に突出した先端部となる湾曲部分から係合穴２１に挿入していき、湾曲部分が係合穴２１を突き抜けて眼鏡レンズ２の前側に折り返し部５１が当接した状態に設定することで、挿着される。
【００３４】
ヨロイ５が形状記憶合金材料から形成されている場合には、係合部５２を係合穴２１に挿入しやすくするために、他端部分５４が一端部分５３に近接するように湾曲部分をさらに湾曲変形させておき、係合部５２を挿着した後に、元の形状に戻すことで、係合部５２の一端部分５３及び他端部分５４が係合穴２１の内面に圧接して係合状態となって固定される。
【００３５】
また、ヨロイ５が超弾性合金材料から形成されている場合には、係合部５２の湾曲部分をそれぞれ眼鏡レンズ２の係合穴２１に挿入していく。その際に、係合穴２１の左右方向の幅は、係合部５２における一端部分５３の外側から他端部分５４の外側までの最も幅広の部分よりも狭くなるように設定されているので、係合部５２は、他端部分５４が一端部分５３に近接するように湾曲部分がさらに湾曲変形しながら挿入されていくようになる。そして、湾曲部分が係合穴２１を突き抜けて眼鏡レンズ２の前側に折り返し部５１が当接した状態に設定すると、係合穴２１の左右方向の幅は、眼鏡レンズ２の前側から後側に行くに従い次第に拡大するように形成されているので、係合部５２の他端部分５４と一端部分５３との間が挿入開始時に比べて若干拡がるように湾曲変形する。そのため、係合部５２を挿入方向とは反対側に引き抜く力に対しては、係合部５２の他端部分５４及び一端部分５３が係合穴２１の内面に圧接して係合状態となって固定される。
【００３６】
係合部５２が係合穴２１の内面に圧接した状態では、一端部分５３の外側に形成された鋸歯状の尖端及び他端部分５４が係合穴２１の内面に圧接して係合部５２が引き抜かれることなくしっかりと固定されるようになる。
【００３７】
係合部５２を眼鏡レンズ２に固定した後、接続部５０の端部５０ｂにテンプル６の端部を取り付けて、ネジ等により取付穴５０ｃに回動可能にテンプル６を接続する。
【００３８】
係合部５２が眼鏡レンズ２の係合穴２１に固定された状態では、眼鏡レンズ２を突き抜けた係合部５２の湾曲部分は丸みを帯びた形状に形成されているため、不用意に接触しても引っ掛かることはない。また、接続部５０の両端部５０ａ及び５０ｂについても丸みを帯びた形状に形成されているので、不用意に接触しても引っ掛かることはない。折り返し部５１の先端部は、接続部５０と眼鏡レンズ２との間に配置されるため、外側から不用意に接触することが防止される。
【００３９】
この例では、ブリッジ３及びヨロイ５は、金属製薄板を切断加工して形成されているため、全体が均一な厚さに形成されている。そのため、幅の広い部分は狭い部分に比べて曲げや捩りに対する強度が高くなるように設定される。ブリッジ３の接続部３０は、ヨロイ５の接続部５０よりも幅が広くなるように設定されているため、左右のテンプル６が開く方向に拡げられた場合には、ヨロイ５の接続部５０の方が開く方向に変形しやすくなり、ブリッジ３の接続部３０は変形しにくくなる。また、接続部３０及び５０の両端部は、幅広に形成されているため、接続部３０及び５０の各端部に形成された折り返し部に変形した影響が及ぶことはほとんどなく、係合部と眼鏡レンズとの間の係合状態はずれ等が生じることなく固定した状態を維持することができる。着用者の頭部のサイズが異なっている場合に、左右のテンプル６の開き具合が異なってくるが、ヨロイ５の変形で主にサイズに対応した調整がなされてブリッジ３の変形が相対的に小さくなる。そのため、左右の鼻パッド４の間隔が変化することがなく、眼鏡１を安定した状態で着用することができる。
【００４０】
また、左右のテンプル６を上下に互いに反対方向に移動させて捻るようにした場合には、ブリッジ３の接続部３０及びヨロイ５の接続部５０が捩られるように変形するが、眼鏡レンズ２の左右方向に細幅に形成された係合穴２０ａ、２０ｂ及び２１に係合部３２ａ、３２ｂ及び５２が挿着されているため、各係合部が各係合穴で回動したり、ずれたりすることはほとんどなく、眼鏡レンズ２がブリッジ３及びヨロイ５にしっかりと保持されるようになる。
【００４１】
以上説明した例では、眼鏡レンズの係合穴に係合部を挿着する際に、係合穴の内面に係止する係止手段として、係合部の一端部分に鋸歯状に形成するとともに係合部の他端部分の角部を鋭角に形成するようにしているが、係合部を係合穴から引き抜く場合に係合穴の内面に係止可能であればこうした係止手段以外の手段を用いてもよく、特に限定されない。例えば、係合穴の内面に段差部を形成しておき、他端部分の角部が係止するように設定することもできる。
【００４２】
また、鋸歯状の形状をフック状の形状にすることも可能である。また、係合部の一端部分及び他端部分の外側が係合穴の内面に圧接するだけで係合部の引き抜きが防止できる場合には、他端部分を鋸歯状に形成しなくてもよい。
【００４３】
図３は、別の実施形態のブリッジ部分に関する一部拡大平面図（図３（ａ））及びヨロイ部分に関する一部拡大平面図（図３（ｂ））である。ヨロイ部分については、左右のヨロイ５’は、左右対称に配置された同一形状に形成されているため、右側のヨロイ５’のみ図示し、左側のヨロイ５’については省略した。この例では、ブリッジ３’及びヨロイ５’は、ブリッジ３及びヨロイ５と同じ部位は同じ符号にダッシュを付して表示している。
【００４４】
ブリッジ３’の接続部３０’は、接続部３０に比べて中央部分の中心の幅を細長く形成して両端部に近い部分の幅を広く形成している。そして、接続部３０’の両端部３０ａ’及び３０ｂ’では、幅を狭くして略円形状に湾曲形成している。折り返し部３１ａ’及び３１ｂ’は、折り返し部３１ａ及び３１ｂよりも若干幅を狭くし、係合部３２ａ’及び係合部３２ｂ’は、一端部分３３ａ’及び３３ｂ’の外側を一端部分３３ａ及び３３ｂのように鋸歯状に形成していない。そして、左右の眼鏡レンズ２には、それぞれ前側表面に対してほぼ垂直方向に貫通する取付穴２２ａ及び２２ｂが形成されており、取付穴２２ａ及び２２ｂ内には、係合部材３５ａ及び３５ｂが挿入されて接着剤等により固着されている。係合部材３５ａ及び３５ｂは筒状に形成されて内部に係合穴が設けられており、係合部材３５ａ及び３５ｂの係合穴に係合部３２ａ’及び３２ｂ’が挿着されるようになっている。係合部材３５ａ及び３５ｂの係合穴の内面には、段差部３６ａ及び３６ｂが他端部分３４ａ’及び３４ｂ’に対向配置するように形成されており、他端部分３４ａ’及び３４ｂ’に形成された外側の角部が段差部３６ａ及び３６ｂに係止して係合部３２ａ’及び３２ｂ’が眼鏡レンズ２に固定されるようになっている。
【００４５】
ヨロイ５’は、ヨロイ５とほぼ同様の形状に形成されており、係合部５２’の一端部分５３’の外側については、係合部５２の一端部分５３のように鋸歯状に形成していない。眼鏡レンズ２には、前側表面に対してほぼ垂直方向に貫通する取付穴２３が形成されており、取付穴２３内には、係合部材５５が挿入されて接着剤等により固着されている。係合部材５５は、係合部材３５ａ及び３５ｂと同様の形状に形成されて内部に係合穴が設けられており、係合部材５５の係合穴に係合部５２’が挿着されるようになっている。係合部材５５の係合穴の内面には、段差部５６が他端部分５４’に対向配置するように形成されており、他端部分５４’に形成された外側の角部が段差部５６に係止して係合部５２’が眼鏡レンズ２に固定されるようになっている。
【００４６】
図４は、係合部材に関する外観斜視図である。係合部材は、平面視楕円形状の外形に形成された本体部１００を備えており、本体部１００の一方の開口１０２側に平面視楕円形状のフランジ部１０１が形成されている。本体部１００は、筒状に形成されて内部に係合穴が設けられており、係合穴の両側の開口１０２及び１０３は、本体部１００の外形の楕円形状の長軸方向に細長く矩形状に形成されている。開口１０２の長軸方向の長さは、係合部における一端部分の外側から他端部分の外側までの最も幅広の部分よりも狭くなるように設定されている。開口１０２の短軸方向の幅は、ほぼ均一でブリッジ及びヨロイの厚さよりもわずかに広くなるように設定されている。開口１０３の長軸方向の長さは、開口１０２よりも長く形成されており、開口１０３の短軸方向の幅は、開口１０２と同じ幅に設定されている。そして、本体部１００に設けられた係合穴の内面において、長軸方向の一方の側面には、開口１０２及び１０３の長軸方向の長さの差に対応して段差部１０４が形成されている。
【００４７】
係合部材の係合穴に係合部を挿入する場合には、係合部の他端部分が係合穴の開口１０２を通過可能となるように係合部を変形させた後、段差部１０４が形成されていない長軸方向の他方の側面に沿って係合部の一端部分の外側を当接しながら開口１０２に挿入すれば、スムーズに係合部を係合穴に挿入することができる。そして、係合部を挿入した後、他端部分が元の形状に戻ることで、係合穴の内面に係合部の一端部分及び他端部分の外側が圧接して固定される。また、他端部分の外側の角部が段差部１０４に係止することで、係合部が引き抜かれるのを確実に防止することができる。
【００４８】
以上のように眼鏡レンズに形成された取付穴に係合部材を固着して係合部を固定するようにしているので、係合部材に眼鏡レンズよりも高強度の材料を用いることで、ブリッジ及びヨロイと眼鏡レンズとの接続部分の強度を強化することができる。また、係合部材の内面に形成された段差部に係合部を係止することで、係合部を眼鏡レンズに対して回動やずれを生じることなくしっかりと固定することができ、係合部材から係合部が抜けて外れてしまうのを確実に防止することができる。
【００４９】
また、接続部３０’の両端部３０ａ’及び３０ｂ’の幅を狭くして略円形状に湾曲形成しているので、左右のテンプル６を開くように拡げると、主に両端部３０ａ’及び３０ｂ’が湾曲変形して接続部３０’から折り返し部３１’が離間するように変形する。そのため、ヨロイ５’の接続部５０’の変形が抑えられて係合部及び係合部材の接続部分へ応力が集中することがなくなり、ブリッジ及びヨロイにより眼鏡レンズを安定して保持することができる。また、左右のテンプル６を上下に移動させて捻るように変形させた場合でも主に両端部３０ａ’及び３０ｂ’が捻るように変形して他の部位の変形が抑えられて眼鏡レンズを安定して保持することが可能となる。
【００５０】
以上説明した例では、接続部の端部側に位置する係合部の一端部分を折り返し部の根元部分に一体形成して、接続部の中央側に位置する係合部の他端部分を折り返し部の先端部分と間隔を空けて離間させているが、係合部の他端部分を折り返し部の先端部分に接続して一体形成し、係合部の一端部分を折り返し部の根元部分と間隔を空けて離間させるようにすることもでき、上述した例と同様の作用効果を奏することが可能となる。
【符号の説明】
【００５１】
１・・・眼鏡、２・・・眼鏡レンズ、３・・・ブリッジ、４・・・鼻パッド、５・・・ヨロイ、６・・・テンプル、７・・・モダン
【図１】
2015059943.tif 000003
【図２】
2015059943.tif 000004
【図３】
2015059943.tif 000005
【図４】
2015059943.tif 000006